(57)【要約】【課題】コンテンツの再生がどのジャンルについて行われているのかを容易に認識することができる再生技術を提供する。【解決手段】所定の媒体上に記録された各ファイルであって、そのコンテンツが所定のジャンルの区分におけるいずれのジャンルに属するかを示すジャンル情報を伴うものを再生するファイル再生装置において、前記ジャンルの区分における各ジャンルに対応するアイコンを規定したジャンル・アイコン対応情報を備え、各ファイルを前記区分によるジャンル別に再生するとき（ステップ４７）、再生中のファイルについて、それに付随するジャンル情報に対応するアイコンを、ジャンル・アイコン対応情報に基づいて特定し、その表示を行う手段（ステップ５２）を設ける。【選択図】図４
2006313608.tif 000002
【特許請求の範囲】
【請求項１】
所定の媒体上に記録された各ファイルであって、そのコンテンツが所定のジャンルの区分におけるいずれのジャンルに属するかを示すジャンル情報を伴うものを再生するファイル再生装置であって、
前記ジャンルの区分における各ジャンルに対応するアイコンを規定したジャンル・アイコン対応情報を備え、
各ファイルを前記区分によるジャンル別に再生するとき、再生中のファイルについて、それに付随する前記ジャンル情報に対応するアイコンを、前記ジャンル・アイコン対応情報に基づいて特定し、その表示を行う手段を具備することを特徴とするファイル再生装置。
【請求項２】
所定の媒体上に記録された各ファイルを、それに付随する各種分類用の情報に基づき、各種再生モードで再生するファイル再生装置であって、
各ファイルは、それが再生されるときの再生モード毎にその再生中に表示すべきアイコンを特定するアイコン特定情報を伴うものであり、
前記ファイル再生装置は、各ファイルをいずれかの再生モードで再生するに際し、各ファイルの再生中に表示すべきアイコンを、前記アイコン特定情報に基づいて特定し、その表示を行う手段を具備することを特徴とするファイル再生装置。
【請求項３】
請求項１又は２のファイル再生装置における各手段としてコンピュータを機能させることを特徴とするプログラム。
【請求項４】
所定の媒体上に記録された各ファイルであって、そのコンテンツが所定のジャンルの区分におけるいずれのジャンルに属するかを示すジャンル情報を伴うものを再生するファイル再生方法であって、
各ファイルを前記区分によるジャンル別に再生するとき、再生中のファイルについて、それに付随する前記ジャンル情報に対応するアイコンを、前記ジャンルの区分における各ジャンルに対応するアイコンを規定したジャンル・アイコン対応情報に基づいて特定し、その表示を行うことを特徴とするファイル再生方法。
【請求項５】
所定の媒体上に記録された各ファイルを、それに付随する各種分類用の情報に基づき、各種再生モードで再生するファイル再生方法であって、
各ファイルは、それが再生されるときの再生モード毎にその再生中に表示すべきアイコンを特定するアイコン特定情報を伴うものであり、
各ファイルをいずれかの再生モードで再生するに際し、各ファイルの再生中に表示すべきアイコンを、前記アイコン特定情報に基づいて特定し、その表示を行うことを特徴とするファイル再生方法。
【発明の詳細な説明】
【技術分野】
【０００１】
本発明は、所定のアイコンを表示しながらファイルの再生を行うファイル再生装置及び方法並びにこれに適したプログラムに関する。
【背景技術】
【０００２】
近年、ＭＰ３（ＭＰＥＧ１  Ａｕｄｉｏ  Ｌａｙｅｒ−３）や、ＷＭＡ（Ｗｉｎｄｏｗｓ（登録商標）  Ｍｅｄｉａ  Ａｕｄｉｏ）等のファイル形式による音楽コンテンツを再生することができるようにした車載用のＣＤレシーバが普及しつつある。このようなＣＤレシーバとして、ＡＣＤ（Ａｄｖａｎｃｅｄ  Ｃｏｄｅｃ  Ｄｒｉｖｅ）ディスクを利用し、再生モード毎に所定のアイコン表示を行うようにしたものが知られている。ＡＣＤディスクとは、ジャンル別再生等の特殊機能を実現するために特別の情報が付加されたディスクである。このようなＣＤレシーバにおいては、一般に、通常のフォルダ再生の他に、アーティスト別再生、ジャンル別再生、アルバム別再生等の各種再生モードにより音楽コンテンツの再生を行うことができるようになっている。
【０００３】
図８は従来例に係るＡＣＤディスクの作成から再生までの工程を示す図である。パソコン８１において、所定のアプリケーションを用い、ＡＣＤディスク８２が作成される。作成されたＡＣＤディスク８２には、ＭＰ３ファイルが記録されており、各ＭＰ３ファイルはＩＤ３タグ情報を伴っている。ＩＤ３タグ情報には、そのＭＰ３ファイルによる音楽コンテンツについてのタイトル、アーティスト名、アルバム名、ジャンル等の情報が含まれている。
【０００４】
作成されたＡＣＤディスク８２は、車両に搭載されたＡＣＤディスク対応のＣＤレシーバ８３によって再生することができる。ＣＤレシーバ８３は、ＡＣＤディスク８２を再生する場合の再生モードとして、種々のものを備えている。再生時には、その表示画面８４において、その表示例８４ａで示すように、再生モードに対応するアイコン８５を表示することができる。このアイコンの表示は、表示画面８４における表示モードが、アイコンを表示するモードに設定されている場合に行われる。
【０００５】
図９はこのアイコン表示を行うためのＣＤレシーバ８３における処理を示すフローチャートである。この処理は、ＡＣＤディスクの再生が指示されたことに応答して行われる。この処理を開始すると、ＣＤレシーバ８３は、まずステップ９１〜９３において、自身がＡＣＤディスク対応モデルであり、ＡＣＤディスクのロードが完了しており、かつ表示モードがアイコン表示モードになっているという条件をすべて満たすか否かを判定する。
【０００６】
この条件をすべては満たしていないと判定した場合には、直ちに、図９の処理を終了する。すべて満たしていると判定した場合には、ステップ９４〜９８において、設定されている再生モードが、プレイ・リスト再生、アルバム再生、アーティスト再生、ジャンル再生、又はフォルダ再生のいずれかの再生モードに該当するか否かを判定する。
【０００７】
いずれかの再生モードに該当すると判定した場合には、その再生モードがプレイ・リスト再生、アルバム再生、アーティスト再生、ジャンル再生、又はフォルダ再生のいずれであるかに応じ、それぞれステップ９９〜１０３において、対応するプレイ・リスト・アイコン、アルバム・アイコン、アーティスト・アイコン、ジャンル・アイコン、又はフォルダ・アイコンを表示画面８４上において表示し、図９の処理を終了する。いずれの再生モードにも該当しないと判定した場合には、ステップ１０４において、所定のエキストラ・アイコンを表示し、図９の処理を終了する。このようにして、ＣＤレシーバ８３においては、再生モード毎にアイコンの表示が行われる。
【０００８】
なお、このようなアイコンの表示を行う技術に関連した先行技術としては、ＣＤにおいて各曲毎に記録されているアイコンを利用し、アイコンをタッチすることにより再生対象とする曲を選択することができるようにしたＣＤ再生装置が提案されている（たとえば特許文献１参照）。
【０００９】
また、複数の音楽データを示すアイコンを、音楽データのジャンルや新しさ等に基づいて分類し、各分類毎に異なる表示エリア内に配置して表示するとともに、各アイコンをそれぞれの表示エリア内で動かすことにより、音楽データの管理が容易となるように、わかりやすく表示するようにした表示装置が提案されている（たとえば特許文献２参照）。
【００１０】
また、再生するＭＰ３ファイルのオーディオ・データ・ファイルのＩＤ３タグ情報に従ってイコライゼーションを自動的に設定し、再生品質を改善するようにしたオーディオ・データ・プレーヤが知られている（たとえば特許文献３参照）。このプレーヤでは、オーディオ・データ・ファイルの再生中に、タイトルやアーティスト、アルバム、ジャンル等のＩＤ３タグ情報を表示するようにしている。
【００１１】
【特許文献１】特開平０５−２８７１９号公報
【特許文献２】特開２００３−２５６８６７号公報
【特許文献３】特表２００５−５０２９７９号公報
【発明の開示】
【発明が解決しようとする課題】
【００１２】
しかしながら、近年、ＣＤレシーバにおいては、可能な再生モードがより多様化してきており、より多くの再生モードによる再生機能が付与されるようになってきている。このため、再生中のフォルダがいずれのモードで再生されているのかを認識することが困難になりつつある。また、フォルダの概念が再生モード毎に異なるため、再生がどのジャンルについて行われているのかを判別するのが困難になってきている。
【００１３】
本発明の目的は、このような従来技術の問題点に鑑み、コンテンツの再生がどのジャンルについて行われているのかを容易に認識することができる再生技術を提供することにある。
【課題を解決するための手段】
【００１４】
上記目的を達成するための第１の発明は、所定の媒体上に記録された各ファイルであって、そのコンテンツが所定のジャンルの区分におけるいずれのジャンルに属するかを示すジャンル情報を伴うものを再生するファイル再生装置に関する。そしてこの装置は、前記ジャンルの区分における各ジャンルに対応するアイコンを規定したジャンル・アイコン対応情報を備えるとともに、各ファイルを前記区分によるジャンル別に再生するとき、再生中のファイルについて、それに付随する前記ジャンル情報に対応するアイコンを、前記ジャンル・アイコン対応情報に基づいて特定し、その表示を行う手段を具備することを特徴とする。
【００１５】
ここで、ファイル再生装置としては、たとえば、ＣＤレシーバが該当する。所定の媒体としては、たとえば、ＡＣＤディスクが該当する。ファイルとしては、たとえば、ＭＰ３ファイルが該当する。所定のジャンルの区分としては、たとえば、「ジャズ（Ｊａｚｚ）」や「クラシック（Ｃｌａｓｓｉｃａｌ）」といったジャンルによる区分が該当する。アイコンとしては、文字・記号（キャラクタ）以外の種々の図形を用いることができる。アイコンには、記号化した図形や、絵文字等も含まれる。ジャンル情報としては、たとえばＭＰ３ファイルのＩＤ３タグ情報のうちのジャンル情報が該当する。
【００１６】
この構成において、ファイル再生装置は、各ファイルをジャンル別に再生するとき、再生中のファイルについて、それに付随するジャンル情報に対応するアイコンを、ジャンル・アイコン対応情報に基づいて特定し、その表示を行う。したがって、ジャンル・アイコン対応情報において、ジャンル毎に、そのジャンルを表す特有のアイコンを規定しておくことにより、ジャンル別の各再生毎に、そのジャンルを容易に認識することができるアイコンを表示することができる。
【００１７】
第２の発明は、所定の媒体上に記録された各ファイルを、それに付随する各種分類用の情報に基づき、各種再生モードで再生するファイル再生装置に関する。そして、各ファイルは、それが再生されるときの再生モード毎にその再生中に表示すべきアイコンを特定するアイコン特定情報を伴うものであり、ファイル再生装置は、各ファイルをいずれかの再生モードで再生するに際し、各ファイルの再生中に表示すべきアイコンを、前記アイコン特定情報に基づいて特定し、その表示を行う手段を具備することを特徴とする。
【００１８】
ここで、各種分類としては、たとえば、所定のジャンル名で区分したジャンルによる分類や、アーティストによる分類が該当する。各種分類用の情報としては、ジャンルによる分類に用いられるジャンル名、たとえば、「ジャズ（Ｊａｚｚ）」や「クラシック（Ｃｌａｓｓｉｃａｌ）」、アーティストによる分類に用いられる各アーティスト名等が該当する。
【００１９】
この構成において、ファイル再生装置は、各ファイルをいずれかの再生モードで再生するに際し、各ファイルの再生中に表示すべきアイコンを、アイコン特定情報に基づいて特定し、その表示を行う。したがってたとえば、各ファイルのアイコン特定情報において、ジャンル再生のモードで再生中に表示すべきアイコンとして、そのファイルのコンテンツが属するジャンルを表すものを特定しておくことにより、ジャンル別の各再生毎に、そのジャンルを容易に認識することができるアイコンを表示することができる。
【００２０】
第３の発明に係るプログラムは、第１又は第２の発明に係るファイル再生装置における各手段としてコンピュータを機能させることを特徴とする。
【００２１】
第４の発明は、所定の媒体上に記録された各ファイルであって、そのコンテンツが所定のジャンルの区分におけるいずれのジャンルに属するかを示すジャンル情報を伴うものを再生するファイル再生方法に関する。そして、各ファイルを前記区分によるジャンル別に再生するとき、再生中のファイルについて、それに付随する前記ジャンル情報に対応するアイコンを、前記ジャンルの区分における各ジャンルに対応するアイコンを規定したジャンル・アイコン対応情報に基づいて特定し、その表示を行うことを特徴とする。
【００２２】
第５の発明には、所定の媒体上に記録された各ファイルを、それに付随する各種分類用の情報に基づき、各種再生モードで再生するファイル再生方法に関する。そして、各ファイルは、それが再生されるときの再生モード毎にその再生中に表示すべきアイコンを特定するアイコン特定情報を伴うものであり、各ファイルをいずれかの再生モードで再生するに際し、各ファイルの再生中に表示すべきアイコンを、前記アイコン特定情報に基づいて特定し、その表示を行うことを特徴とする。
【発明の効果】
【００２３】
本発明によれば、各ファイルをジャンル別に再生するとき、再生中のファイルについて、それに付随するジャンル情報に対応するアイコンを、ジャンル・アイコン対応情報に基づいて特定し、その表示を行うようにしたため、ジャンル別の各再生毎に、そのジャンルを容易に認識することができるアイコンを表示することができる。
【００２４】
また、各ファイルをいずれかの再生モードで再生するに際し、各ファイルの再生中に表示すべきアイコンを、アイコン特定情報に基づいて特定し、その表示を行うようにしたため、ファイル毎に、かつ再生モード毎に、異なるアイコンを表示することができる。したがって、ジャンル別の各再生毎に、そのジャンルを容易に認識することができるアイコンを表示することもできる。
【発明を実施するための最良の形態】
【００２５】
図１は本発明の一実施形態に係るＡＣＤディスクの作成から再生までの工程を示す図である。図中の１１はパソコン、１２はパソコン１１により作成されるＡＣＤディスク、１３はＡＣＤディスク１２を再生することができるＣＤレシーバ、１４はＣＤレシーバ１３の表示画面である。１４ａ及び１４ｂはそれぞれ表示画面１４における表示例を示す。
【００２６】
パソコン１１には、ＡＣＤディスク１２を作成するためのＣＤドライブが設けられ、また、ＡＣＤディスク１２を作成するためのアプリケーションソフトがインストールされている。ＣＤレシーバ１３はＡＣＤディスク１２に対応したものであり、ＡＣＤディスク１２に記録されたＭＰ３ファイルを各種モードで再生し、また、ＭＰ３ファイルに付随するＩＤ３タグ情報としてのテキストの表示や、ＩＤ３タグ情報等に基づくアイコンの表示を行う機能、及び表示装置を備えている。ＣＤレシーバ１３はまた、表示するアイコンの図形データを記憶している。各ＭＰ３ファイルには、ＩＤ３タグ情報として、ジャンル情報やアーティスト情報等が付随している。
【００２７】
図２はＣＤレシーバ１３が記憶しているジャンル・アイコン対応テーブルを示す。このテーブルは所定のジャンル区分における各ジャンルに対応するアイコンを規定しており、「番号」、「ＩＤ３ＴＡＧジャンル」、及び「アイコン番号」の欄で構成されている。「番号」の欄には各ジャンルの番号、「ＩＤ３ＴＡＧジャンル」の欄にはそのジャンルのジャンル名、「アイコン番号」の欄にはそのジャンルを表すジャンル用アイコンの番号が記録されている。たとえばジャンル・アイコン対応テーブルの最初のレコードにおいては、番号が「１２３」の「Ａｃａｐｅｌｌａ」という名のジャンルが記録されており、このジャンルに対してはアイコン番号が「１１」のジャンル用アイコンが対応していることが示されている。
【００２８】
図３は上述の「アイコン番号」の欄に記録されたアイコン番号により参照されるジャンル用アイコンを示す。同図に示すように、ジャンル用アイコンとしては、アイコン番号が１〜１１までの１１のアイコンが用意されている。各ジャンル用アイコンの図形データはＣＤレシーバ１３が有するデータベースに記録されている。
【００２９】
この構成において、パソコン１１において、前記アプリケーションソフトを用い、ＡＣＤディスク１２が作成される。作成に際しては、所望のＭＰ３ファイルがＩＤ３タグ情報とともに記録される。各ＭＰ３ファイルのＩＤ３タグ情報には、そのＭＰ３ファイルによる音楽コンテンツについてのタイトル、アーティスト、アルバム、ジャンル等の情報が含まれる。
【００３０】
このようにして作成されたＡＣＤディスク１２は、車両に搭載されたＡＣＤディスク対応のＣＤレシーバ１３によって再生することができる。その際、各ＭＰ３ファイルのＩＤ３タグ情報等に基づき、ジャンル別再生等の種々の再生モードによる再生が可能である。再生モードとしては、プレイ・リスト（ＰＬＡＹ  ＬＩＳＴ）再生、アルバム（ＡＬＢＵＭ）再生、アーティスト（ＡＲＴＩＳＴ）再生、ジャンル（ＧＥＮＲＥ）再生、及びフォルダ（ＦＯＬＤＥＲ）再生が可能となっている。
【００３１】
各再生モードによる再生時には、表示画面１４において、その生成モードを表すアイコンが表示される。すなわち、プレイ・リスト再生、アルバム再生、アーティスト再生、及びフォルダ再生の各再生モードによる再生時には、それぞれプレイ・リスト・アイコン、アルバム・アイコン、アーティスト・アイコン、及びフォルダ・アイコンが表示される。また、ジャンル再生においては、再生される各ＭＰ３ファイル毎に、それが属するジャンルに対応するジャンル用アイコンが特定され、表示画面１４において表示される。つまりあるジャンルに属する一連のＭＰ３ファイルの再生が終了し、別のジャンルに属する一連のＭＰ３ファイルの再生に移行するとき、表示例１４ａ及び１４ｂに示されるように、表示されるジャンル用アイコンがアイコン１５からアイコン１６に切り替わることになる。
【００３２】
図４はこのアイコン表示を行うためのＣＤレシーバ１３における処理を示すフローチャートである。この処理は、たとえば、ＡＣＤディスクの再生が指示されたことや、再生すべき次のファイルの再生を開始する際に行われる。
【００３３】
この処理を開始すると、ＣＤレシーバ１３は、まず、ステップ４１〜４３において、自身がＡＣＤディスク対応モデルであって、ＡＣＤディスクのロードが完了しており、かつ表示モードがアイコン表示モードになっているという条件をすべて満たすか否かを判定する。これらの条件をすべては満たしていないと判定した場合には、直ちに図４の処理を終了する。すべて満たしていると判定した場合には、ステップ４４〜４８において、設定されている再生モードが、プレイ・リスト再生、アルバム再生、アーティスト再生、ジャンル再生、又はフォルダ再生のいずれかの再生モードに該当するか否かを判定する。
【００３４】
再生モードがプレイ・リスト再生、アルバム再生、アーティスト再生、又はフォルダ再生に該当すると判定した場合には、それぞれステップ４９〜５１及び５３において、プレイ・リスト・アイコン、アルバム・アイコン、アーティスト・アイコン、又はフォルダ・アイコンの表示を表示画面１４上において行い、図４の処理を終了する。再生モードがジャンル再生であると判定した場合には、ステップ５２において、ジャンル用アイコンの表示処理を行い、図４の処理を終了する。いずれの再生モードにも該当しないと判定した場合には、ステップ５４において、所定のエキストラ・アイコンを表示し、図４の処理を終了する。
【００３５】
図５はステップ５２のジャンル用アイコン表示処理を示すフローチャートである。処理を開始すると、まず、ステップ５６において、新たに再生対象とするＭＰ３ファイルに付随するＩＤ３タグ情報のうちのジャンル情報を取得する。次に、ステップ５７において、取得したジャンル情報が、それまで再生していたＭＰ３ファイルのジャンル情報とは異なるか否か、すなわちジャンル情報が更新されているか否かを判定する。ただし、新たに再生対象とするＭＰ３ファイルが、ジャンル再生の再生モードにおける最初のものである場合には、更新されていると判定する。
【００３６】
ステップ５７においてジャンル情報が更新されていると判定した場合には、ステップ５８において、ジャンル用アイコンの表示を更新する。すなわち、今まで表示していたアイコンに代えて、又は新たに、更新後のジャンル情報に対応するジャンル用アイコンを表示画面１４に表示する。この後、図５の処理を終了する。更新されたアイコンの表示は、次に更新されるまで、あるいは再生処理の終了等により消去されるまで、維持されることになる。
【００３７】
ステップ５７においてジャンル情報が更新されていないと判定した場合には、今まで表示していたアイコンの表示を維持し（ステップ５９）、図５の処理を終了する。つまり、ジャンル情報が更新されていない場合には、新たに再生対象とするＭＰ３ファイルについては、それまで再生していたＭＰ３ファイルについて表示していたアイコンと同一のアイコンが特定され、表示されることになる。
【００３８】
図６はステップ５８のジャンル用アイコンの更新処理を示すフローチャートである。処理を開始すると、まず、ステップ６１において、頭文字検索を行う。すなわち、図２のジャンル・アイコン対応テーブルにおける「ＩＤ３ＴＡＧジャンル」の欄において、図５のステップ５６で取得したジャンル情報の頭文字「Ａ」、「Ｂ」、「Ｃ」、・・・又は「Ｖ」と同一の頭文字を有する最初のジャンル名を検索する。たとえば、図５のステップ５６で取得したジャンル情報が「Ｃｌａｓｓｉｃａｌ」であるとすれば、「Ｃａｂａｒｅｔ」が検索されることになる。
【００３９】
次に、ステップ６２〜６４又は６５において、該頭文字「Ａ」、「Ｂ」、「Ｃ」、・・・又は「Ｖ」に応じて検索された最初のジャンル名から順次、図５のステップ５６で取得したジャンル情報と一致するか否かを判定してゆくことにより、該ジャンル情報とジャンル名とが一致するレコードを検索する。検索は、図２のジャンル・アイコン対応テーブルにおける、該頭文字「Ａ」、「Ｂ」、「Ｃ」、・・・又は「Ｖ」が一致するジャンル名のグループであるグループＡ、グループＢ、グループＣ、又はグループＶの範囲内において行う。たとえば、上述のジャンル情報が「Ｃｌａｓｓｉｃａｌ」である例の場合、グループＣの範囲における「ＩＤ３ＴＡＧジャンル」欄のジャンル名が検索され、「番号」欄が「３２」で、「アイコン番号」欄が「９」のレコードが検索されることになる。
【００４０】
次に、ステップ６６において、ＣＤレシーバ１３の表示画面１４におけるアイコン表示を更新する。すなわち、ステップ６２〜６４又は６５の検索により得られたレコードのアイコン番号に対応する画像データを図３のデータベースから読み出し、これに基づき、表示画面１４上の所定位置に、今まで表示されていたアイコン又は他の表示に代えて、アイコン表示を行う。たとえば、上述のジャンル情報が「Ｃｌａｓｓｉｃａｌ」である例の場合、図３中の、アイコン番号が「９」のアイコン図形が表示されることになる。なお、ステップ６１における頭文字検索によって頭文字が一致するジャンル名を検索することができなかった場合には、図３中のアイコン番号が「１１」のアイコン図形の表示を行う。これにより、図６の処理が終了する。
【００４１】
これによれば、再生モードがジャンル再生である場合には、再生中のＭＰ３ファイルのＩＤ３タグ情報におけるジャンル情報に応じて、表示画面１４上に表示するアイコンを変更することができる。つまり、あるジャンルに属する一連のＭＰ３ファイルの再生が終了し、別のジャンルに属する一連のＭＰ３ファイルの再生に移行するとき、表示されるジャンル用アイコンを、移行前のジャンルに合致したものから、移行後のジャンルに合致したものへ切り替えることができる。したがって、再生中の楽曲のジャンルを常に、視覚的に容易に把握することができる。また、再生中の楽曲のジャンルを示すテキストが表示画面１４上の所定部分において表示されていなくても、ジャンル用アイコンの表示により再生中の楽曲のジャンルを把握することができるので、該所定の部分には、他の情報を表示させることができる。
【００４２】
図７は本発明の他の実施形態に係るＡＣＤディスクの作成から再生までの工程を示す図である。特に言及しない点については上述実施形態の場合と同様である。本実施形態においては、パソコン１１によりＡＣＤディスク１２を作成する際に、パソコン１１におけるアプリケーションソフトにより、ＡＣＤディスク１２に記録する各ＭＰ３ファイルに対し、各再生モードにおいて表示画面１４に表示するアイコンを特定するアイコン特定情報７１を付加するようにしている。アイコン特定情報７１は、プレイ・リスト再生、アルバム再生、アーティスト再生、及びフォルダ再生の各再生モード毎に、それが付随するＭＰ３ファイルの再生時におけるアイコンの表示に使用するビットマップファイルを特定している。
【００４３】
ＣＤレシーバ１３は、このようにして作成されたＡＣＤディスク１２中の各ＭＰ３ファイルを、設定された再生モードにより再生する場合には、各ＭＰ３ファイルに付随する情報７１を参照し、該再生モードに対応するビットマップファイルを用いて、表示画面１４上におけるアイコン表示を行う。これによれば、ジャンル再生の場合のみならず、他の再生モードにおいても、再生するＭＰ３ファイル毎に、表示画面１４に表示するアイコンを変化させることができる。
【００４４】
たとえば、図７に示すように、「ファイル１」というＭＰ３ファイルに対し、アーティスト（ＡＲＴＩＳＴ）再生の再生モードにおいて用いるビットマップファイルを「ｂｍｐ１」とし、ジャンル（ＧＥＮＲＥ）再生の再生モードにおいて用いるビットマップファイルを「ｂｍｐ２」とする旨を規定するアイコン特定情報７１がファイル１に付随しているとする。また、「ファイル２」に対しては、アーティスト再生の場合には「ｂｍｐ３」を用い、ジャンル再生の場合には「ｂｍｐ２」を用いる旨が規定されたアイコン特定情報７１が付加されているとする。
【００４５】
この場合、アーティスト再生のモードにより再生を行うとき、ファイル１の再生時には「ｂｍｐ１」によるアイコンの表示がなされ、ファイル２の再生時には「ｂｍｐ３」によるアイコンの表示が行われる。また、ジャンル再生の場合には、ファイル１及びファイル２の再生時には共に「ｂｍｐ２」が表示されることになる。図７の表示画面１４における表示例１４ｃ及び１４ｄではこの場合の様子が示されている。
【００４６】
したがって、同じファイル１を再生する場合でも、再生モードによって、表示されるアイコンが異なる場合がある。また、各ＭＰ３ファイルに付随するアイコン特定情報７１により、同一ジャンルの各ＭＰ３ファイルについては、ジャンル再生に対し、同一のビットマップファイルを対応付けておくことにより、図１の実施形態の場合と同様に、ジャンル再生時における各ジャンル毎に、表示されるアイコンを切り替えることができる。
【００４７】
なお、本発明は上述の各実施形態に限定されることなく、適宜変形して実施することができる。たとえば、上述においては、ＩＤ３タグ情報におけるジャンル情報に基づいて図２のジャンル・アイコン対応テーブルを検索するようにしているが、この代わりに、ＩＤ３タグ情報中のジャンル番号に基づいて図２のテーブルを検索するようにしてもよい。
【図面の簡単な説明】
【００４８】
【図１】本発明の一実施形態に係るＡＣＤディスクの作成から再生までの工程を示す図である。
【図２】図１のＣＤレシーバが記憶しているジャンル・アイコン対応テーブルを示す図である。
【図３】図２の「アイコン番号」の欄に記録されたアイコン番号により参照されるジャンル用アイコンを示す図である。
【図４】図１のＣＤレシーバにおけるアイコン表示を行うための処理を示すフローチャートである。
【図５】図４中のステップ５２のジャンル用アイコン表示処理を示すフローチャートである。
【図６】図５中のステップ５８のジャンル用アイコンの更新処理を示すフローチャートである。
【図７】本発明の他の実施形態に係るＡＣＤディスクの作成から再生までの工程を示す図である。
【図８】従来例に係るＡＣＤディスクの作成から再生までの工程を示す図である。
【図９】図８のＣＤレシーバにおけるアイコン表示を行うための処理を示すフローチャートである。
【符号の説明】
【００４９】
１１，８１：パソコン、１２，８２：ＡＣＤディスク、１３，８３：ＣＤレシーバ、１４，８４：表示画面、１４ａ，１４ｂ，１４ｃ，１４ｄ，８４ａ：表示画面における表示例、１５，１６，８５：アイコン、７１：アイコン特定情報。
【図１】
2006313608.tif 000003
【図２】
2006313608.tif 000004
【図４】
2006313608.tif 000005
【図５】
2006313608.tif 000006
【図６】
2006313608.tif 000007
【図７】
2006313608.tif 000008
【図８】
2006313608.tif 000009
【図９】
2006313608.tif 000010
【図３】
2006313608.tif 000011